(57)【要約】      （修正有）【課題】販売場に積み上げた状態でも、靴購入予定者が収納されている靴を外部より視認し、所望の靴を即購入することのできる靴収納箱を提供する。【解決手段】靴収納用箱体１は、靴収納部２１を有する収納箱本体２と蓋体３とからなる。収納箱本体２は、収納箱本体２の上面が四角に開口した直方体形状の箱体であり、蓋体３は収納箱本体２の開口部を覆うように閉蓋可能な状態に形成されている。この収納箱本体２および蓋体３はいずれも収納されてなる靴４を外部より視認することのできる透明若しくは半透明の材料より形成されている。例えば、透明または半透明のアクリル樹脂、ポリプロピレン樹脂、ＰＥＴ樹脂等からなる。【選択図】図１
0003164706.tif 000002
【実用新案登録請求の範囲】
【請求項１】
靴を収納する靴収納用箱体は、収納されてなる靴を外部より視認することのできる透明若しくは半透明の材料より形成したことを特徴とする靴収納箱。
【請求項２】
靴収納用箱体は、収納されてなる靴のサイズ、カラー、ヒールの高さ等、当該収納されてなる靴の基本的事項に関する情報を表示してなる表示部を有することを特徴とする請求項１記載の靴収納箱。
【請求項３】
靴収納用箱体は、収納されてなる靴を履いた状態のモデルの図若しくは写真を表示してなる表示部を有することを特徴とする請求項１または２に記載の靴収納箱。
【請求項４】
靴収納用箱体は、収納されてなる靴の外観を示す図若しくは写真を表示してなる表示部を有することを特徴とする請求項１乃至３のいずれかに記載の靴収納箱。
【請求項５】
靴収納用箱体は、収納されてなる靴の特徴、特性等、顧客に向けてのアピール情報を表示してなる表示部を有することを特徴とする請求項１乃至４のいずれかに記載の靴収納箱。
【請求項６】
収納されてなる靴の基本的事項に関する情報、収納されてなる靴を履いた状態のモデルの図若しくは写真、収納されてなる靴の外観を示す図若しくは写真、または収納されてなる靴の特徴、特性等、顧客に向けてのアピール情報は、靴収納用箱体外面に表示したことを特徴とする請求項１乃至５のいずれかに記載の靴収納箱。
【請求項７】
収納されてなる靴の基本的事項に関する情報、収納されてなる靴を履いた状態のモデルの図若しくは写真、収納されてなる靴の外観を示す図若しくは写真、または収納されてなる靴の特徴、特性等、顧客に向けてのアピール情報は、靴収納用箱体内面に表示し前記収納箱外方から視認されることを特徴とする請求項１乃至６のいずれかに記載の靴収納箱。
【請求項８】
靴収納用箱体の靴収納部には仕切板を介在させることにより二室形成し、一足毎に各仕切室内に収納されることを特徴とする請求項１乃至７のいずれかに記載の靴収納箱。
【請求項９】
靴収納用箱体の靴収納部は上面開口の直方体形状または立方体形状の箱体とし、仕切板は開口対角線上に配設されてなることを特徴とする請求項８に記載の靴収納箱。
【請求項１０】
仕切板の両側面は仕切室内に収納されてなる各靴と接触し靴の移動を規制することを特徴とする請求項８または９に記載の靴収納箱。
【考案の詳細な説明】
【技術分野】
【０００１】
本考案は、主として女性用靴を店舗等において陳列する際、あるいは家庭等において保管する際に使用されて有用な靴収納箱に関する。
【背景技術】
【０００２】
従来靴の専門店あるいはデパートの靴売場にあっては、靴の陳列に際し、陳列台に実物を載置し、購入予定者が色、デザインにおいて気にいった靴があると店員を呼び、店員がサイズ等を聞いた上で在庫があればその中から靴収納箱に収納された靴を持参し、試し履きをした上で購入不購入を決めてもらうという手法を取っていた。一方、購入予定者の家庭における靴の保管は購入時のダンボールからなる靴収納箱に入れて積重ね保管することが常であった。
【先行技術文献】
【特許文献】
【０００３】
【特許文献１】特開2010-189005号公報
【特許文献２】特開平10-327921号公報
【考案の概要】
【考案が解決しようとする課題】
【０００４】
したがって、靴購入予定者は靴の購入に際し、気にいった靴があっても、その都度店員を呼び、サイズ確認のため靴収納箱の靴を取り出し、試し履きした後、購入不購入を決める等の手間と時間を要することを余儀なくされ、所望のサイズ、色、デザインからなる靴を即購入することは不可能であった。
【０００５】
また家庭における保管に際してもダンボールからなる靴収納箱に入れて保管することから好みの靴を取り出す際にもその都度、箱を開けて所望の靴かどうかを確認する手間を余儀なくされるとともに、自分の所有する靴のすべてを把握しておくことは困難であり、デザインも重なる不必要な靴を新規購入してしまう等のおそれも多々あった。
【０００６】
一方、靴販売者にあっても多数の店員を必要とし人件費がかかることは勿論のこと、所望するサイズと色の靴を探し出し、しかも試し履きする等購入者、あるいは購入予定者に多くの時間接しなければならず、一足の靴を販売するための労力と時間は多大なものであり、効率の良い靴販売を行うことは従来の不透明なダンボールからなる靴収納箱を用いている限りは不可能であった。そこで、本考案の靴収納箱は、販売場に積み上げた状態でも靴購入予定者が収納されている靴を確認することのできる靴収納箱を提供することを目的とする。
【課題を解決するための手段】
【０００７】
そこで本考案の靴収納箱において、靴を収納する靴収納用箱体は、収納されてなる靴を外部より視認することのできる透明若しくは半透明の材料より形成したことを特徴とする。
【０００８】
靴収納用箱体は、収納されてなる靴のサイズ、カラー、ヒールの高さ等、当該収納されてなる靴の基本的事項に関する情報を表示してなる表示部を有することを特徴とする。
【０００９】
靴収納用箱体は、収納されてなる靴を履いた状態のモデルの図若しくは写真を表示してなる表示部を有することを特徴とする。
【００１０】
靴収納用箱体は、収納されてなる靴の外観を示す図若しくは写真を表示してなる表示部を有することを特徴とする。
【００１１】
靴収納用箱体は、収納されてなる靴の特徴、特性等、顧客に向けてのアピール情報を表示してなる表示部を有することを特徴とする。
【００１２】
収納されてなる靴の基本的事項に関する情報、収納されてなる靴を履いた状態のモデルの図若しくは写真、収納されてなる靴の外観を示す図若しくは写真、または収納されてなる靴の特徴、特性等、顧客に向けてのアピール情報は、靴収納用箱体外面に表示したことを特徴とする。
【００１３】
収納されてなる靴の基本的事項に関する情報、収納されてなる靴を履いた状態のモデルの図若しくは写真、収納されてなる靴の外観を示す図若しくは写真、または収納されてなる靴の特徴、特性等、顧客に向けてのアピール情報は、靴収納用箱体内面に表示し前記収納箱外方から視認されることを特徴とする。
【００１４】
靴収納用箱体の靴収納部には仕切板を介在させることにより二室形成し、一足毎に各仕切室内に収納されることを特徴とする。
【００１５】
靴収納用箱体の靴収納部は上面開口の直方体形状または立方体形状の箱体とし、仕切板は開口対角線上に配設されてなることを特徴とする。
【００１６】
仕切板の両側面は仕切室内に収納されてなる各靴と接触し靴の移動を規制することを特徴とする。
【考案の効果】
【００１７】
本考案の靴収納箱において、靴を収納する靴収納用箱体は、収納されてなる靴を外部より視認することのできる透明若しくは半透明の材料より形成したことにより、靴購入予定者は靴の購入に際し、靴収納箱に収納された靴を視認することができ、店員を呼ぶことなく、所望の靴を即購入することができる。また家庭における保管に際してもダンボールからなる靴収納箱に入れて保管することから好みの靴を取り出す際にもその都度、箱を開けて所望の靴かどうかを確認する手間を要さず、自分の所有する靴のすべてを把握することができ、デザインも重なる不必要な靴を新規購入してしまうおそれがない。一方、靴販売者にあっても靴が収納された靴収納箱をそのまま展示すればよく、展示場の裏にストックをすることなく、多数の店員を必要とし人件費がかかることはなく、所望するサイズと色の靴を探し出し、しかも試し履きする等購入者、あるいは購入予定者に多くの時間接する必要もなく、効率の良い靴販売を行うことができる。
【００１８】
また、靴収納用箱体は、収納されてなる靴のサイズ、カラー、ヒールの高さ等、当該収納されてなる靴の基本的事項に関する情報を表示してなる表示部を有することにより、靴購入者は、所望のサイズ、色、デザインの靴を即購入することができる。
【００１９】
また、靴収納用箱体は、収納されてなる靴を履いた状態のモデルの図若しくは写真を表示してなる表示部を有することにより、靴購入予定者は、靴を着用した状態を思い描いて靴を購入することができる。また、販売者は、靴購入予定者に靴を着用した状態を示すことができ、販売を促進することができる。
【００２０】
また、靴収納用箱体は、収納されてなる靴の外観を示す図若しくは写真を表示してなる表示部を有することことにより、靴購入予定者は、収納されている靴を容易に視認することができる。また、販売者は、靴購入予定者に収納されている靴を示すことができ、販売を促進することができる。
【００２１】
また、靴収納用箱体は、収納されてなる靴の特徴、特性等、顧客に向けてのアピール情報を表示してなる表示部を有することにより、靴購入者は収納されている靴の特徴、特性、購入者へのメッセージ等を容易に確認することができる。また、販売者は、靴購入予定者に収納されている靴の特徴、特性、購入者へのメッセージ等を示すことができ、販売を促進することができる。
【００２２】
また、収納されてなる靴の基本的事項に関する情報、収納されてなる靴を履いた状態のモデルの図若しくは写真、収納されてなる靴の外観を示す図若しくは写真、または収納されてなる靴の特徴、特性等、顧客に向けてのアピール情報は、靴収納用箱体外面に表示したことにより、靴の情報を鮮明に視認することができる。また、表示部を靴収納用箱体の側面に設ければ、箱を積み重ねた状態でも収納されている靴の情報を確認することができる。
【００２３】
また、収納されてなる靴の基本的事項に関する情報、収納されてなる靴を履いた状態のモデルの図若しくは写真、収納されてなる靴の外観を示す図若しくは写真、または収納されてなる靴の特徴、特性等、顧客に向けてのアピール情報は、靴収納用箱体内面に表示し前記収納箱外方から視認されることにより、靴収納用箱体外面に情報を印刷する必要がない。尚、これらの情報を交換可能なシート体等に表示した場合にはシート体等を交換することにより収納する靴に応じた汎用性のある靴収納箱を提供することができる。
【００２４】
また、靴収納用箱体の靴収納部には仕切板を介在させることにより二室形成し、一足毎に各仕切室内に収納されることにより、収納される靴同士が衝突したり擦れたりすることがなく、収納された靴が傷つくことを防止することができる。
【００２５】
また、靴収納用箱体の靴収納部は上面開口の直方体形状または立方体形状の箱体とし、仕切板は開口対角線上に配設されてなることにより靴を収納するのに最適な形状の仕切室を確保することができる。
【００２６】
また、仕切板の両側面は仕切室内に収納されてなる各靴と接触し靴の移動を規制することにより靴収納箱の搬送中や携帯中に収納された靴が収納箱内で動くことを防止することができ、収納された靴が傷つくことを防止することができる。
【図面の簡単な説明】
【００２７】
【図１】第一の実施の形態の靴収納用箱体に靴を収納し開蓋した状態を示す斜視図。
【図２】靴収納用箱体に表示する基本情報を示す図。
【図３】靴収納用箱体に止着するシート体の平面図。
【図４】図１に示す靴収納用箱体に情報を表示した状態の斜視図。
【図５】第二の実施の形態の靴収納用箱体に靴を収納した状態を示す斜視図。
【図６】図５に示す靴収納用箱体に状態の斜視図。
【図７】図５に示す靴収納用箱体の平面図。
【図８】第三の実施の形態の靴収納箱に靴を収納した状態を示す平面図。
【考案を実施するための最良の形態】
【００２８】
本考案の靴収納箱における第一の実施の形態の靴収納用箱体１を図１に示す。図１に示すのは、本考案の靴収納用箱体１に靴４（本実施例においては女性用パンプス）を収納し開蓋した状態の斜視図である。
【００２９】
靴４が靴収納部２１に収納可能な靴収納用箱体１は、靴収納部２１を有する収納箱本体２と蓋体３とからなる。収納箱本体２は、収納箱本体２の上面が四角に開口した直方体形状の箱体であり、蓋体３は収納箱本体２の開口部を覆うように閉蓋可能な状態に形成されている。
【００３０】
この収納箱本体２および蓋体３はいずれも収納されてなる靴４を外部より視認することのできる透明若しくは半透明の材料より形成されている。例えば、透明または半透明のアクリル樹脂、ポリプロピレン樹脂、ＰＥＴ樹脂等からなる板体を箱状に組み立てた構造になっている。尚、透明若しくは半透明の樹脂はこれらの材料に限られるものではなく、また収納箱本体２と蓋体３の構造は図１に示した物に限られるものではない。
【００３１】
図４に示すように、収納箱本体２の外側面を表示部２５とし、図２に示す靴４のサイズ、カラー、ヒールの高さ等の収納される靴４の基本的事項についての基本情報２６が印刷等により表示されている。また、図４に示すように、靴収納用箱体１の蓋体３を表示部３１とし、シート体５に後述する各種情報を印刷等により表示し、シート体５は情報を表示した表示面５４が透明または半透明の蓋体３の内表面に接する様に止着され、シート体５の表示面５４を靴収納用箱体１外部から視認できるようになっている。蓋体３の表示部５４に表示する情報は、図３のシート体５に示すように靴を履いた状態のモデルの図または写真５１、靴の外観の図または写真５２、雨に強い靴であること、皮が柔らかいこと、耐久性がよいこと等、収納されてなる靴の前記基本的事項以外の特徴、特性等、顧客に向けてのアピール情報５３である。尚、基本情報２６を表示する箇所は収納箱本体２の外側面に限定されるものではなく、収納箱本体２および蓋体３のいずれの箇所でもよく、また靴収納用箱体１の外面または内面のいずれに表示してもよい。靴を履いた状態のモデルの図または写真５１、靴の外観の図または写真５２、顧客に向けてのアピール情報５３等の各種情報はシート体５に表示せずに、靴収納用箱体１の外面または内面に直接印刷等により表示してもよい。さらに、靴収納用箱体１に表示する情報には上述した内容の他、靴の製造地や品番、広告等を加えてもよい。
【００３２】
次に、本考案の第二の実施の形態を図５乃至図７に示す。図５および図６に示すのは、本考案の靴収納用箱体６に靴４を収納した状態の斜視図である。靴収納用箱体６は図１に示すと同様の靴収納箱本体２と蓋体３とからなり、靴収納箱本体２の靴収納部に仕切板７を介在させることにより靴収納部の仕切室７１ａ、７１ｂを二室形成するものである。この靴収納部の仕切室７１a、７１ｂには一対の靴４の片方の靴４ａ、４ｂがそれぞれ収納されるようになっている。この仕切板７は、帯状の仕切板からなり収納箱本体２の角隅部２２から角隅部２３に亘って開口対角線状に収納部を区切るように固定されており、仕切室７１a、７１ｂに収納されるそれぞれの靴４ａ、４ｂの接触を防止するようになっている。尚、靴収納用箱体６には、図１に示す第一の実施の形態と同様に基本情報２６の表示をすることができ、各種情報が印刷されたシート体５を蓋体に止着して情報を表示することができる。
【００３３】
次に、本考案の第三の実施の形態を図８に示す。図８に示すのは、本考案の靴収納用箱体８に靴４を収納した状態の平面図である。靴収納用箱体８は図１に示すと同様の靴収納箱本体２と蓋体３とからなり、靴収納箱本体２の靴収納部に仕切板９を介在させることにより靴収納部の仕切室９１ａ、９１ｂを二室形成するものである。この靴収納部の仕切室９１a、９１ｂには一対の靴４の片方の靴４ａ、４ｂがそれぞれ収納されるようになっている。この仕切板９は、帯状の仕切板からなるとともに可撓性を有する素材からなっており収納箱本体２の角隅部２２から角隅部２３に亘って開口対角線状に収納部を区切るように、かつ、仕切板９が撓みを有するように湾曲させて固定されており、靴４ａ、４ｂを収納すると、仕切板９の湾曲部９２ａ、９２ｂ、９２ｃが靴４ａ、４ｂに接触し、靴４ａ、４ｂを付勢して仕切室９１ａ、９１ｂ内における靴４ａ、４ｂの移動を規制するようになっている。尚、靴収納用箱体８には、図１に示す第一の実施の形態と同様に基本情報２６の表示をすることができ、各種情報が印刷されたシート体５を蓋体に止着して情報を表示することができる。
【００３４】
本実施の形態においては、収納箱本体を開口が四角の直方体形状としたが収納箱の形状はこれに限られるものではなく、中に収納される靴に応じて立方体、四角柱形状、円柱形状等他の形状であってもよい。また、蓋体は、靴収納箱本体とは別体としたが、靴収納箱に連接されてなる蓋体としてもよい。さらに、靴収納用箱体中に収納される靴は、女性用パンプスを例にしたものであるが、靴の種類はこれに限られるものではなく、スニーカー、ブーツ、サンダル等様々な種類の靴が挙げられ、また、女性用、男性用、子供用等種々の靴が挙げられる。
【符号の説明】
【００３５】
１    靴収納用箱体
２    収納箱本体
２１  収納部
２２  角隅部
２３  角隅部
２５  表示部
２６  基本情報
３    蓋体
３１  表示部
４    靴（一対）
４ａ  靴
４ｂ  靴
５    シート体
５１  靴を履いた状態のモデルの図または写真
５２  靴の外観の図または写真
５３  購入者へ向けてのアピール情報
５４  表示面
６    靴収納用箱体
７    仕切板
７１ａ仕切室
７１ｂ仕切室
８    靴収納用箱体
９    仕切板
９１ａ仕切室
９１ｂ仕切室
９２ａ湾曲部
９２ｂ湾曲部
９２ｃ湾曲部
【図１】
0003164706.tif 000003
【図２】
0003164706.tif 000004
【図３】
0003164706.tif 000005
【図４】
0003164706.tif 000006
【図５】
0003164706.tif 000007
【図６】
0003164706.tif 000008
【図７】
0003164706.tif 000009
【図８】
0003164706.tif 000010